(57)【要約】【課題】籠等の収納用具を運搬するのに好適なカートであって、使用者が使用目的や好みに応じて自由な使い方をし易いカートを提供する。【解決手段】カート１は、互いに平行配置される一対の支柱１１１、１１１を含むフレーム部１１と、フレーム部１１の移動を可能とする車輪１２と、一対の支柱１１１、１１１間を橋渡しするブリッジ部１３と、ブリッジ部１３の橋渡し方向に間隔をあけて複数設けられ、物を引掛けることが可能な被引掛け部１３１と、を備える。【選択図】図１
2014162370.tif 000002
【特許請求の範囲】
【請求項１】
互いに平行配置される一対の支柱を含むフレーム部と、
前記フレーム部の移動を可能とする車輪と、
前記一対の支柱間を橋渡しするブリッジ部と、
前記ブリッジ部の橋渡し方向に間隔をあけて複数設けられ、物を引掛けることが可能な被引掛け部と、
を備えることを特徴とするカート。
【請求項２】
前記被引掛け部は、前記橋渡し方向と略直交する方向に突出する突起部であることを特徴とする請求項１に記載のカート。
【請求項３】
前記ブリッジ部の一端縁は、前記橋渡し方向と略直交する方向に突出する突起部が間隔をあけて複数設けられた波状構造になっており、
前記被引掛け部は、前記波状構造を構成する突起部であることを特徴とする請求項１又は２に記載のカート。
【請求項４】
当該カートが起立姿勢とされる場合に、前記突起部は略上向きに突出していることを特徴とする請求項２又は３に記載のカート。
【請求項５】
前記車輪は、前記一対の支柱のそれぞれに１つずつ取り付けられ、
前記フレーム部には、当該カートの起立姿勢を維持可能であるとともに、前記起立姿勢で前記車輪をロックする機能を発揮する脚部が含まれることを特徴とする請求項１から４のいずれかに記載のカート。
【請求項６】
前記被引掛け部が設けられる前記ブリッジ部が、前記支柱の長手方向と略平行な方向に複数配列されることを特徴とする請求項１から５のいずれかに記載のカート。
【発明の詳細な説明】
【技術分野】
【０００１】
本発明は、荷物の運搬を可能とするカートに関する。
【背景技術】
【０００２】
従来、荷物の運搬を可能とする様々なタイプのカートが提案されている。例えば、キャスタ（車輪）が取り付けられた、ステンレス製やプラスチック製等のフレームに、荷物を置くことができる棚板が取り付けられた構成のカート（ワゴン）が知られている（例えば非特許文献１参照）。
【０００３】
また、他の例として、フレームに、籠を着脱可能とするフックが設けられた構成のカート（ワゴン）が知られている（例えば非特許文献２参照）。非特許文献２の構成では、荷物が入れられる籠（バケット）をカートから簡単に取り外して持ち運べる。このために、非特許文献２の構成によれば、例えばカートでは荷物の運搬が行い難い場所においては、カートから籠を外して運搬するといった柔軟な対応ができる。
【先行技術文献】
【非特許文献】
【０００４】
【非特許文献１】意匠登録第１３６３０４５号公報
【非特許文献２】“収納の杜  インテリアＢＯＯＫ”、“ハッピーバケットワゴン３段”、[online]、楽天、[平成２４年１０月１６日検索]、インターネット<URL: http://item.rakuten.co.jp/kaitekishuno/14884521lbb3hb/>
【発明の概要】
【発明が解決しようとする課題】
【０００５】
ところで、例えば介護施設等においては、浴室に荷物（例えばシャンプー、タオル、ゴミ箱等）を運搬するためにカートが使用される。このような目的で使用される場合、カートによって運搬される荷物の種類は多くなり易い。また、例えばタオル等の荷物については使用前と使用後のものがあり、これらは分けて運搬することが望まれる。このような事情から、介護施設等においては、荷物をその種類毎に仕分けした状態で運搬し易いカートが望まれていると予想される。
【０００６】
この点、非特許文献１や２に示される構成のワゴン（カート）でも、籠等の収納用具を用いて、運搬する荷物を種類毎に仕分けした状態で運搬することが可能である。しかしながら、従来のカートでは、配置できる収納用具の種類や数、更には、収納用具の配置の仕方について自由度が必ずしも大きくない。このために、更に使い易いカートが望まれていると予想される。
【０００７】
以上の点に鑑みて、本発明の目的は、籠等の収納用具を運搬するのに好適なカートであって、使用者が使用目的や好みに応じて自由な使い方をし易いカートを提供することである。
【課題を解決するための手段】
【０００８】
上記目的を達成するために本発明のカートは、互いに平行配置される一対の支柱を含むフレーム部と、前記フレーム部の移動を可能とする車輪と、前記一対の支柱間を橋渡しするブリッジ部と、前記ブリッジ部の橋渡し方向に間隔をあけて複数設けられ、物を引掛けることが可能な被引掛け部と、を備える構成（第１の構成）になっている。なお、橋渡し方向に間隔をあけて配置される複数の被引掛け部は、必ずしも直線状に並べられなくてもよく、場合によってはジグザグ状に配置される構成等でもよい。
【０００９】
本構成のカートは、ブリッジ部に、間隔をあけて複数の被引掛け部が設けられる構成になっている。このために、本構成のカートでは、配置できる籠等の収納用具の数や種類、更には収納用具の配置の仕方について、自由度が大きくなることが期待できる。なお、本構成のカートにおける被引掛け部には、収納用具のみならず、タオル等の運搬したい荷物単品も引掛けることが可能である。
【００１０】
上記第１の構成のカートにおいて、前記被引掛け部は、前記橋渡し方向と略直交する方向に突出する突起部である構成（第２の構成）であるのが好ましい。本構成によれば、橋渡し方向に並べられる被引掛け部を設けるにあたって、部品点数が多くなることを抑制し易い。すなわち、本構成は、突起部がブリッジ部と一体的に設けられる構成であるのが好ましい。ただし、本構成は、突起部がブリッジ部と別部材である構成を除く趣旨ではない。また、本構成によれば、様々なタイプの収納用具について、脱落を防止し易くできる。  
【００１１】
上記第１又は第２の構成のカートにおいて、前記ブリッジ部の一端縁は、前記橋渡し方向と略直交する方向に突出する突起部が間隔をあけて複数設けられた波状構造になっており、前記被引掛け部は、前記波状構造を構成する突起部である構成（第３の構成）であるのが好ましい。本構成は、突起部がブリッジ部と一体的に設けられる構成を想定しており、被引掛け部を設けるにあたって、部品点数が多くなることを抑制できる。
【００１２】
上記第２又は第３の構成のカートは、当該カートが起立姿勢とされる場合に、前記突起部が略上向きに突出する構成（第４の構成）であるのが好ましい。本構成によれば、カートに搭載される収納用具等が脱落し難い構成が得られる。
【００１３】
上記第１から第４のいずれかの構成のカートにおいては、前記車輪は、前記一対の支柱のそれぞれに１つずつ取り付けられ、前記フレーム部には、当該カートの起立姿勢を維持可能であるとともに、前記起立姿勢で前記車輪をロックする機能を発揮する脚部が含まれる構成（第５の構成）が採用されるのが好ましい。本構成によれば、車輪の数が少なくて済むとともに、車輪にロック機構を設ける必要がないために、カートの製造コストを低減できる。
【００１４】
上記第１から第５のいずれかの構成のカートにおいては、前記被引掛け部が設けられる前記ブリッジ部が、前記支柱の長手方向と略平行な方向に複数配列される構成（第６の構成）が採用されるのが好ましい。本構成によれば、配置できる収納用具の数や種類、更には収納用具の配置の仕方について、更に自由度が大きくなることが期待できる。
【発明の効果】
【００１５】
本発明によれば、籠等の収納用具を運搬するのに好適なカートであって、使用者が使用目的や好みに応じて自由な使い方をし易いカートを提供できる。
【図面の簡単な説明】
【００１６】
【図１】本発明の実施形態に係るカートの概略構成を示す斜視図
【図２】本発明の実施形態に係るカートを側面から見た場合の概略図、カートが走行面に起立姿勢で静止された状態を示す図
【図３】本発明の実施形態に係るカートに籠が搭載された状態を示す概略斜視図
【図４】本発明の実施形態に係るカートに収納容器が搭載された状態を示す概略斜視図
【図５】本発明の実施形態に係るカートに搭載される収納容器の構成を説明する概略図
【発明を実施するための形態】
【００１７】
以下、本発明の実施形態に係るカートについて、図面を参照しながら詳細に説明する。
【００１８】
図１は、本発明の実施形態に係るカート１の概略構成を示す斜視図である。図１に示すように、カート１は、大きくは、フレーム部１１と、フレーム部１１の移動を可能とする走行手段１２と、フレーム部１１に取り付けられる複数（本実施形態では４つ）のブリッジ部１３と、を備える構成になっている。
【００１９】
フレーム部１１は、例えば金属や樹脂を用いて構成される。フレーム部１１には、互いに略平行に配置される一対の支柱１１１、１１１が含まれる。各支柱１１１の一端側（上端側）には、カート１を押す、或いは、カート１を引く使用者が持つ部分となるグリップ部１１２が形成されている。グリップ部１１２は、例えば、支柱１１１の一端側を折り曲げることによって得られるものでもよいし、支柱１１１とは別部材で構成して、支柱１１１に取り付けられるものであってもよい。また、グリップ部１１２には、例えば滑り止め等を目的として、ゴム製等のカバーが取り付けられてもよい。
【００２０】
フレーム部１１には、一対の支柱１１１、１１１の、グリップ部１１２が設けられる側と反対の端部側（下端部側）に設けられて、一対の支柱１１１、１１１を連結する第１の梁部１１３が含まれている。一対の支柱１１１、１１１と第１の梁部１１３とは、互い略直交する関係になっている。一対の支柱１１１、１１１と第１の梁部１１３とは、一つの部材を折り曲げることによって一体的に構成されてもよいし、それぞれが別部材で構成されて、各部材が連結固定される構成であってもよい。
【００２１】
また、フレーム部１１には、一対の支柱１１１、１１１のそれぞれから、支柱１１１（の長手方向）と第１の梁部１１３（の長手方向）との両方に平行な平面に対して略直交する方向に突出する脚部１１４が含まれている。一対の脚部１１４、１１４は対称配置されている。また、一対の脚部１１４、１１４間には、両者を連結する第２の梁部１１５が形成されている。この第２の梁部１１５により、支柱１１１に対して脚部１１４がぐらつかないようになっている。
【００２２】
走行手段１２は、各支柱１１１の、グリップ部１１２が設けられる側と反対側の端部（下端部）の先端に取り付けられる車輪（計２つある）によって構成される。なお、本実施形態では、製造コストを考慮して走行手段１２を２つの車輪で構成しているが、走行手段を構成する車輪の数は２つに限定される趣旨ではなく、適宜変更してよい。
【００２３】
ブリッジ１３は、一対の支柱１１１、１１１間を橋渡しするように、一対の支柱１１１、１１１に固定されている。ブリッジ部１３は、例えば金属や樹脂を用いて構成することができる。ブリッジ部１３の一対の支柱１１１、１１１への固定は、例えばネジ止め方式でもよいし、係合凸部と係合凹部との嵌合を利用した構成等であってもよい。
【００２４】
なお、本実施形態では、支柱１１１の長手方向と略平行な方向に、所定の間隔をあけて４つのブリッジ部１３が並列配置されているが、これら４つのブリッジ部１３の構成はいずれも同じである。また、一対の支柱１１１、１１１に取り付けられるブリッジ部１３の数は、４つに限らず適宜変更して構わず、場合によっては複数ではなく、１つであっても構わない。
【００２５】
ブリッジ部１３の一端縁（上端縁）には、当該ブリッジ部１３の橋渡し方向と略直交する方向に突出する突起部１３１が間隔をあけて複数（本実施形態では５つであるが、その数は適宜変更されてよい）設けられた構成になっている。換言すると、ブリッジ部１３の一端縁は、当該突起部１３１の存在によって波状構造になっている。突起部１３１は、本発明における、「物を引掛けることができる被引掛け部」の一例である。板状に設けられる突起部１３１は、カート１が起立姿勢（図１に示す姿勢は起立姿勢である）とされた場合に、ブリッジ部１３から略上向きに突出するように設けられている。
【００２６】
突起部１３１はブリッジ部１３と一体的に形成するのが好ましいが、場合によっては、ブリッジ部１３と突起部１３１とは別部材で構成しても構わない。また、複数の突起部１３１は、一対の支柱１１１、１１１間を橋渡しする方向（橋渡し方向）に間隔をあけて一列に配置されているが、場合によっては、橋渡し方向にジグザグ状に配置されても構わない。
【００２７】
なお、突起部１３１の外形は、物を引掛ける機能を発揮できればよく、図１に示す形状（平面視略しゃもじ状）に特に限定されない。ただし、例えば、使用者の安全面等を考慮して外周が丸みを帯びているのが好ましい。また、例えば、引掛けられたループ体（籠の把手等）が外れにくいように、先端側が幅広になっているのが好ましい。更に、突起部は、必ずしも板状である必要はなく、例えば、棒形状を折り曲げる等して、引掛ける機能を発揮する形状としたものであってもよい。
【００２８】
次に、以上のようの構成されるカート１の作用効果について説明する。
【００２９】
図２は、本発明の実施形態に係るカート１を側面から見た場合の概略図で、カート１が走行面Ｓ（地面や床面）に起立姿勢で静止された状態を示す図である。図２に示すように、カート１は、一対の脚部１１４、１１４と一対の車輪１２、１２とに支持されることによって、走行面Ｓに対して外部（人の手等）から支えられることなく起立姿勢を維持できるようになっている。そして、一対の脚部１１４、１１４が一対の車輪１２、１２の回転をロックする機能を発揮するので、手等で外部から支えなくても静止状態を維持できる。
【００３０】
すなわち、本実施形態のカート１によれば、車輪１２にロック機構を取り付ける必要がなく、低コスト化を図り易い。また、ロック機構の操作が不要であるために、本実施形態のカート１は取扱いが容易である。更に、一対の脚部１１４、１１４を利用して起立姿勢を維持できるようになっているために、車輪の数を減らすことができ（車輪を４つとする必要がなく）、この点からも、本実施形態のカート１は低コスト化を図れる。
【００３１】
図３は、本発明の実施形態に係るカート１に籠２（収納用具の一例）が搭載された状態を示す概略斜視図である。上述のように、ブリッジ部１３には、複数の突起部１３１が設けられている。このために、図３に示すように、例えば籠２の把手２１（ループ状の部分）が突起部１３１に引掛けられることによって、籠２はカート１に搭載される。なお、把手２１は、１つの突起部１３１のみを利用して引掛けられてもよいし（図３に示す構成）、複数の突起部１３１を利用して引掛けられてもよい。
【００３２】
１つのブリッジ部１３に複数の突起部１３１が設けられるために、１つのブリッジ部１３に複数の籠２を引掛けることが可能である。また、ブリッジ部１３が複数設けられる構成であるために、多数の籠２が搭載可能であり、搭載する籠２の種類や数、更には配置の仕方について、使用者は、使用目的や好みに応じて、自由な設計を行い易い。更に、カート１に搭載される籠２は、単に引掛けられているのみであるので、使用者は籠２を簡単に取り外して、籠２のみを移動することも可能である。
【００３３】
図４は、本発明の実施形態に係るカート１に収納容器３（収納用具の別例）が搭載された状態を示す概略斜視図である。収納容器３は、物を入れる収納部３１と、カート１に引掛けるためのフック部３２とを備える。図４に示すように、このような収納容器３も突起部１３１に引掛けることが可能である。図４において、上側には２つの収納容器３が取り付けられており、下側には１つの収納容器３（正確には、上側に取り付けられるものとサイズが異なる）が取り付けられている。
【００３４】
なお、図４に示すような収納容器３をブリッジ部１３に取り付ける場合、ブリッジ部１３の幅（上下方向の長さ）が狭いと、収納容器１３が必要以上に傾く可能性がある。このために、ブリッジ部１３の幅は、前述の傾きが生じ難いように決められるのが好ましい。  
【００３５】
上述の籠２の場合と同様に、搭載する収納容器３の種類や数、更には配置の仕方について、使用者は、使用目的や好みに応じて、自由な設計を行い易い。また、カート１に搭載される収納容器３は、単に引掛けられているのみであるので、使用者は簡単に収納容器３を取り外して、収納容器３のみを移動することも可能である。なお、ブリッジ部１３には、例えば、籠２と収納容器３といった異なる種類の収納用具を組み合わせて取り付けて良いのは当然である。
【００３６】
図５は、本発明の実施形態に係るカート１に搭載される収納容器３の構成を説明する概略図で、図５（ａ）は下側から見た概略平面図、図５（ｂ）は図５（ａ）のＡ−Ａ位置における概略断面図である。図５に示すように収納容器３のフック部３２の内側に仕切り壁３３が設けられている場合、突起部１３１に引掛けられた収納容器３が橋渡し方向にずれようとすると、仕切り壁３３が突起部１３１に当接して、当該ずれを防止する。すなわち、本実施形態のカート１は、収納容器３の脱落を防止しやすい構造であると言える。
【００３７】
また、図２に示すように、カート１は、起立姿勢で静止した状態において、支柱１１１が鉛直方向（図２の破線の方向が該当）に対して若干傾く。このために、突起部１３１に引掛けられた収納容器３も、鉛直方向に対して若干傾く。このために、収納容器３に収納される物（例えばシャンプー容器等）を取り出しやすい。
【００３８】
ここで、介護施設等において、浴室に荷物を運搬するためにカート１が使用される場合を想定して、本実施形態のカート１の使用例を説明する。このような用途で使用される場合、運搬する荷物の中に、シャンプーやリンスが入った容器が含まれる。シャンプー容器等は、例えば図４に示す収納容器３を使用してカート１に搭載できる。また、他の運搬荷物として、タオルが含まれる。タオルは使用前のものと使用後のものとを分けるのが好ましいために、例えば図３に示す籠２（例えば蓋付きのものであってもよい）を２つ、カート１に搭載するといったことができる。その他、運搬する荷物にゴミ箱（図３に示すような籠２が使用されてよい）が含まれてもよい。本実施形態のカート１によれば、これらの荷物を自由な配置で取り付けることが可能である。また、例えば一時的な使用目的等で、１枚のタオルを突起部１３１に直接引掛けることも可能である。
【００３９】
なお、以上に示した実施形態は、本発明の一例にすぎない。以上に示した実施形態の構成は、本発明の技術的思想を超えない範囲で適宜変更されて構わない。
【００４０】
例えば、以上に示した実施形態のカート１は、使用者が分解及び組立てを行える構成であってもよい。例えば、フレーム部１１が、複数のパーツに分けられるように構成されるとともに、車輪１２やブリッジ部１３がフレーム部１１に対して着脱可能な構成であるようにしてもよい。このような構成とすることで、使用しないカートの保管や運搬が便利になる。
【００４１】
また、以上に示した実施形態のカート１は、その一部が折り畳めるように構成されてもよい。この場合にも、使用しないカートの保管や運搬が便利になる。
【００４２】
また、以上に示した実施形態のカート１では、複数のブリッジ部１３の構成が同一であるとしたが、複数のブリッジ部１３は互いに異なる構成（例えば突起部１３１の数や形状が異なる等）であっても構わない。
【００４３】
その他、本発明のカートは、介護施設等での使用に限らず、例えばショッピング用途やガーデニング用途等、様々な用途に使用可能である。この意味で、本発明のカートは万能カートと呼べるものである。
【符号の説明】
【００４４】
１  カート
１１  フレーム部
１２  車輪
１３  ブリッジ部
１１１  支柱
１１４  脚部
１３１  突起部（被引掛け部）
【図１】
2014162370.tif 000003
【図２】
2014162370.tif 000004
【図３】
2014162370.tif 000005
【図４】
2014162370.tif 000006
【図５】
2014162370.tif 000007